(57)【要約】      （修正有）【課題】空調衣服のファンに取り付けて、空調衣服の機能が損なわれないようにする空調衣服用スペーサーを実現する。【解決手段】空調衣服５に装着された状態で、空調衣服の内側に配置されるファン本体２と、空調衣服の外側に配置されるガード体３と、を有しているファン１に取り付けて使用する空調衣服用スペーサー１００であって、ガード体に着脱可能に係着される係着手段１１を有する枠体１０と、枠体における係着手段とは反対側に突出して設けられているスペーサー本体２０と、を備え、スペーサー本体は、そのスペーサー本体における頂部２１と、頂部と枠体とを繋ぐ支持部２２と、を有しており、支持部は、頂部と枠体の間の通気性を確保するように構成されている。【選択図】図３
0003226981.tif 000002
【実用新案登録請求の範囲】
【請求項１】
空調衣服に装着された状態で、前記空調衣服の内側に配置されるファン本体と、前記空調衣服の外側に配置されるガード体と、を有しているファンに取り付けて使用する空調衣服用スペーサーであって、
前記ガード体に着脱可能に係着される係着手段を有する枠体と、
前記枠体における前記係着手段とは反対側に突出して設けられているスペーサー本体と、
を備え、
前記スペーサー本体は、そのスペーサー本体における頂部と、前記頂部と前記枠体とを繋ぐ支持部と、を有しており、
前記支持部は、前記頂部と前記枠体の間の通気性を確保するように構成されていることを特徴とする空調衣服用スペーサー。
【請求項２】
空調衣服に装着された状態で、前記空調衣服の内側に配置されるファン本体と、前記空調衣服の外側に配置されるガード体と、を有し、前記ファン本体にはプロペラが内蔵され、前記ガード体には格子が設けられているファンに取り付けて使用する空調衣服用スペーサーであって、
前記ガード体の格子に着脱可能に係着される係着爪を有する枠体と、
前記枠体における前記係着爪とは反対側に突出して設けられているスペーサー本体と、
を備え、
前記スペーサー本体は、そのスペーサー本体における頂部と、前記頂部と前記枠体とを繋ぐ支持部と、を有しており、
前記支持部は、前記頂部と前記枠体の間の通気性を確保するように構成されていることを特徴とする空調衣服用スペーサー。
【請求項３】
前記支持部は、前記頂部から放射状に延在して前記枠体に繋がれている複数の放射状支持部材を備えたことを特徴とする請求項１又は２に記載の空調衣服用スペーサー。
【請求項４】
前記放射状支持部材間に設けられ、前記複数の放射状支持部材を繋いでいる環状部材を備えたことを特徴とする請求項３に記載の空調衣服用スペーサー。
【請求項５】
前記環状部材は、前記枠体と同心円を呈する形状に設けられていることを特徴とする請求項４に記載の空調衣服用スペーサー。
【請求項６】
前記頂部には、前記枠体に対して接離する方向に配置を切り替え可能な出没部材が設けられていることを特徴とする請求項１〜５のいずれか一項に記載の空調衣服用スペーサー。
【考案の詳細な説明】
【技術分野】
【０００１】
本考案は、空調衣服のファンに取り付けて使用する空調衣服用スペーサーに関する。
【背景技術】
【０００２】
近年、身体又は下着の表面と略平行に大量の外気を流通させることにより身体から出た汗を蒸発させて、身体を冷却する空調衣服が実用化されている（例えば、特許文献１参照。）。この空調衣服には、後身頃に衣服内に空気を取り込むためのファンが取り付けられている。
【０００３】
空調衣服用のファンは、例えば、モーターによって回転されるプロペラを内蔵するファン本体と、ファン本体の開口を塞ぐように取り付けられるフィンガーガードを備えており、ファン本体を衣服の内側に配し、フィンガーガードを衣服の外側に配するように取り付けて使用される。
そして、プロペラを回転させてフィンガーガード側から空気を取り込んで、空調衣服内に空気を流通させるようになっている。
【先行技術文献】
【特許文献】
【０００４】
【特許文献１】特許第６３８２３１４号公報
【考案の概要】
【考案が解決しようとする課題】
【０００５】
ところで、上記特許文献１の空調衣服を着用している作業者が、雨天時に屋外で作業を行わなければならないことがある。
そのような場合に、空調衣服の上からレインコートを着用すると、ファンに吸い込まれる気流によってレインコートの一部がファンのフィンガーガードに張りついてしまい、空調衣服内に空気が流通し難くなることがある。
このように、空調衣服の上からレインコートなどの外套を着用した場合には、空調衣服の機能が損なわれてしまうことがあるという問題があった。
【０００６】
本考案の目的は、空調衣服のファンに取り付け、空調衣服の機能が損なわれないようにする空調衣服用スペーサーを提供することである。
【課題を解決するための手段】
【０００７】
以上の課題を解決するため、請求項１に記載の考案は、
空調衣服に装着された状態で、前記空調衣服の内側に配置されるファン本体と、前記空調衣服の外側に配置されるガード体と、を有しているファンに取り付けて使用する空調衣服用スペーサーであって、
前記ガード体に着脱可能に係着される係着手段を有する枠体と、
前記枠体における前記係着手段とは反対側に突出して設けられているスペーサー本体と、
を備え、
前記スペーサー本体は、そのスペーサー本体における頂部と、前記頂部と前記枠体とを繋ぐ支持部と、を有しており、
前記支持部は、前記頂部と前記枠体の間の通気性を確保するように構成されていることを特徴とする。
【０００８】
また、以上の課題を解決するため、請求項２に記載の考案は、
空調衣服に装着された状態で、前記空調衣服の内側に配置されるファン本体と、前記空調衣服の外側に配置されるガード体と、を有し、前記ファン本体にはプロペラが内蔵され、前記ガード体には格子が設けられているファンに取り付けて使用する空調衣服用スペーサーであって、
前記ガード体の格子に着脱可能に係着される係着爪を有する枠体と、
前記枠体における前記係着爪とは反対側に突出して設けられているスペーサー本体と、
を備え、
前記スペーサー本体は、そのスペーサー本体における頂部と、前記頂部と前記枠体とを繋ぐ支持部と、を有しており、
前記支持部は、前記頂部と前記枠体の間の通気性を確保するように構成されていることを特徴とする。
【０００９】
請求項３に記載の考案は、請求項１又は２に記載の空調衣服用スペーサーにおいて、
前記支持部は、前記頂部から放射状に延在して前記枠体に繋がれている複数の放射状支持部材を備えたことを特徴とする。
【００１０】
請求項４に記載の考案は、請求項３に記載の空調衣服用スペーサーにおいて、
前記放射状支持部材間に設けられ、前記複数の放射状支持部材を繋いでいる環状部材を備えたことを特徴とする。
【００１１】
請求項５に記載の考案は、請求項４に記載の空調衣服用スペーサーにおいて、
前記環状部材は、前記枠体と同心円を呈する形状に設けられていることを特徴とする。
【００１２】
請求項６に記載の考案は、請求項１〜５のいずれか一項に記載の空調衣服用スペーサーにおいて、
前記頂部には、前記枠体に対して接離する方向に配置を切り替え可能な出没部材が設けられていることを特徴とする。
【考案の効果】
【００１３】
本考案によれば、空調衣服のファンに取り付け、空調衣服の機能が損なわれないようにする空調衣服用スペーサーが得られる。
【図面の簡単な説明】
【００１４】
【図１】実施形態１の空調衣服用スペーサーを示す斜視図（ａ）と、側面図（ｂ）と、上面図（ｃ）である。
【図２】実施形態１の空調衣服用スペーサーを変形させた態様を示す斜視図（ａ）と、側面図（ｂ）である。
【図３】空調衣服用スペーサーを空調衣服のファンに取り付けた状態を示す説明図である。
【図４】実施形態２の空調衣服用スペーサーを示す斜視図（ａ）と、側面図（ｂ）と、上面図（ｃ）である。
【図５】実施形態２の空調衣服用スペーサーを変形させた態様を示す斜視図（ａ）と、側面図（ｂ）である。
【図６】ファンが装着されている空調衣服を示す説明図である。
【考案を実施するための形態】
【００１５】
以下、図面を参照して、本発明に係る空調衣服用スペーサーの実施形態について詳細に説明する。但し、以下に述べる実施形態には、本発明を実施するために技術的に好ましい種々の限定が付されているが、本発明の範囲を以下の実施形態及び図示例に限定するものではない。
【００１６】
空調衣服５には、例えば、図６に示すように、その衣服５内に空気を取り込むためのファン１が装着されている。
ファン１は、空調衣服５に装着された状態で、空調衣服５の内側に配置されるファン本体２と、空調衣服５の外側に配置されるガード体３と、を有している。
ファン本体２には、モーターによって回転されるプロペラが内蔵されており、ガード体３には、回転中のプロペラから指を守るための格子４が設けられている。なお、格子４が設けられているガード体３は、回転中のプロペラから指を守るフィンガーガードとして機能する。
そして、空調衣服用スペーサー１００は、空調衣服５に装着されているファン１に取り付けて使用する器具である。
【００１７】
（実施形態１）
実施形態１の空調衣服用スペーサー１００は、例えば、図１（ａ）（ｂ）（ｃ）に示すように、ファン１のガード体３の格子４に着脱可能に係着される係着手段である係着爪１１を有する枠体１０と、枠体１０における係着爪１１とは反対側に突出して設けられているスペーサー本体２０等を備えている。
枠体１０は、上面視略円環状を呈する枠状部材である。
スペーサー本体２０は、そのスペーサー本体２０における頂部２１と、頂部２１と枠体１０とを繋ぐ支持部２２と、を有している。
【００１８】
頂部２１は、空調衣服用スペーサー１００がファン１に取り付けられた状態において、スペーサー本体２０中、ファン１から最も離れた位置に配置される部位である。
支持部２２は、頂部２１から放射状に延在して枠体１０に繋がれている複数（本実施形態では５つ）の放射状支持部材２２ａと、放射状支持部材２２ａ間に設けられ、複数の放射状支持部材２２ａを繋いでいる環状部材２２ｂと、を備えている。
この支持部２２は、頂部２１と枠体１０の間の通気性を確保するように構成された部位である。
つまり、複数の放射状支持部材２２ａと環状部材２２ｂとで構成された支持部２２は、空調衣服用スペーサー１００の通気口を成す枠体１０に立体的に設けられた格子部材として機能する。
なお、支持部２２の環状部材２２ｂは、枠体１０と同心円を呈する形状に設けられており、上面視略円環状を呈している。具体的には、この環状部材２２ｂは、枠体１０よりも小さな径を有しており、枠体１０における係着爪１１とは反対側であって、側面視して枠体１０とは重ならない位置に設けられている。
【００１９】
枠体１０は、空調衣服用スペーサー１００の取り付け対象のファン１の外径と略同じ径を有している枠状部材である。
この枠体１０の内面に、放射状支持部材２２ａの外端部が固定されており、放射状支持部材２２ａの外端部の固定箇所の近傍に係着爪１１が設けられている。
係着爪１１は、枠体１０の一方の縁の内側から突き出した態様に設けられている。
そして、枠体１０は、空調衣服用スペーサー１００を取り付けるファン１の外径と略同じ径を有しており、枠体１０の係着爪１１は、ガード体３側からファン１の内側に挿し入れ可能になっている。
本実施形態の係着爪１１は、枠体１０の周方向に沿う５箇所に等間隔に設けられており、各箇所に２つの係着爪１１が設けられている。
この係着爪１１は、ガード体３の格子４間に押し込むように挿入されて、その格子４の裏側の縁に係着可能な形状に形成されている。
なお、係着爪１１は、ファン１のガード体３の格子４の形状や間隔に応じて設計されており、その係着爪１１の数や形状は、本実施形態に限られるものではない。
【００２０】
また、スペーサー本体２０の頂部２１に、放射状支持部材２２ａの内端部が固定されている。
この頂部２１には、図１（ａ）（ｂ）、図２（ａ）（ｂ）に示すように、枠体１０に対して接離する方向（接近離間する方向）に配置を切り替え可能な出没部材２１ａが設けられている。
具体的には、出没部材２１ａを環状部材２２ｂ（枠体１０）から引き離すようにすると、図１（ａ）（ｂ）に示すように、出没部材２１ａが環状部材２２ｂの内側から突き出した配置に切り替わる。この配置の出没部材２１ａは、頂部２１における比較的高い配置にあり、スペーサー本体２０の厚みを増大させた形態に変形した態様である。
また、出没部材２１ａを環状部材２２ｂ（枠体１０）に向けて押して近付けるようにすると、図２（ａ）（ｂ）に示すように、出没部材２１ａが環状部材２２ｂの内側に没入した配置に切り替わる。この配置の出没部材２１ａは、頂部２１における比較的低い配置にあり、スペーサー本体２０の厚みを減少させた形態に変形した態様である。
なお、頂部２１において、それぞれの配置に切り替えられた出没部材２１ａは、その位置にて係止されるようになっており、ある程度の力を加えない限り出没部材２１ａの配置は変わらず、スペーサー本体２０は変形しないようになっている。
【００２１】
実施形態１の空調衣服用スペーサー１００は、このような構造を有しており、空調衣服用スペーサー１００の枠体１０の係着爪１１を、ファン１のガード体３に押し当て、その係着爪１１をガード体３の格子４間に押し込むようにすれば、図３に示すように、空調衣服用スペーサー１００をファン１のガード体３に取り付けることができる。
なお、ファン１に取り付けられた空調衣服用スペーサー１００を取り外す場合には、枠体１０を掴んで引き剥がすようにすればよい。
【００２２】
そして、この空調衣服用スペーサー１００を空調衣服５のファン１に取り付けておけば、その空調衣服５の上からレインコートなどの外套６を着用した場合に、外套６とファン１（ガード体３）の間に所定の空間を確保することができるとともに、ファン１に吸い込まれる気流によって外套６の一部がガード体３に張りつくのを防ぐことができるので、空調衣服５内に空気が流通し難くなるようなことはない。
特に、空調衣服用スペーサー１００は、枠体１０から突出するように設けられた立体的な格子状のスペーサー本体２０を備えているため、そのスペーサー本体２０の全面に外套６が張りつくようなことはなく、頂部２１と枠体１０の間の通気性が確保されるので、空調衣服５内に空気が流通し難くなるようなことはない。
つまり、この空調衣服用スペーサー１００を空調衣服５のファン１に取り付けておけば、その空調衣服５の上から外套６を着用した場合でも、空調衣服５の機能が損なわれてしまうことはない。
このように、本実施形態の空調衣服用スペーサー１００であれば、空調衣服５のファン１に取り付け、空調衣服５の機能が損なわれないようにすることができる。
【００２３】
また、本実施形態の空調衣服用スペーサー１００は、頂部２１の出没部材２１ａの配置を切り替えるようにして、スペーサー本体２０の厚みを調整することができるので、外套６とファン１の間の空間容積を調整することができる。
例えば、外套６の生地が薄く、外套６がファン１（空調衣服用スペーサー１００）にまとわり付きやすいような場合などには、スペーサー本体２０の厚みを増大させた形態に変形すればよい。
また、例えば、作業者が狭隘な作業現場に立ち入るような場合に、スペーサー本体２０の厚みを減少させた形態に変形するようにすれば、外套６の膨らみを抑えるようにして、その外套６が作業の妨げになり難くすることができる。
【００２４】
（実施形態２）
次に、本考案に係る空調衣服用スペーサーの実施形態２について説明する。なお、実施形態１と同一部分には同符号を付し、異なる部分についてのみ説明する。
【００２５】
実施形態２の空調衣服用スペーサー１００は、例えば、図４（ａ）（ｂ）（ｃ）に示すように、ファン１のガード体３の格子４に着脱可能に係着される係着爪１１を有する枠体１０と、枠体１０における係着爪１１とは反対側に突出して設けられているスペーサー本体２０等を備えている。
【００２６】
枠体１０は、空調衣服用スペーサー１００の取り付け対象のファン１の外径と略同じ径を有している枠状部材である。
この枠体１０の内面に、放射状支持部材２２ａの外端部が固定されており、放射状支持部材２２ａの外端部の固定箇所の近傍に係着爪１１が設けられている。ここでは、枠体１０の近傍の放射状支持部材２２ａ側の位置に係着爪１１が設けられている。
係着爪１１は、枠体１０の一方の縁の内側から突き出し、その先端側を所定方向に屈曲させた態様に設けられている。ここでは、係着爪１１の先端側を枠体１０の周方向に沿う向きであって、上面視した際の時計回り方向に沿う向きに屈曲させた態様に形成されている。
そして、枠体１０は、空調衣服用スペーサー１００を取り付けるファン１の外径と略同じ径を有しており、枠体１０の係着爪１１は、ガード体３側からファン１の内側に挿し入れ可能になっている。
本実施形態の係着爪１１は、枠体１０の周方向に沿う５箇所に等間隔に設けられている。
この係着爪１１は、ガード体３の格子４間に挿し入れられた後、枠体１０を時計回りに回転させるようにして、その格子４の裏側の縁に係着可能な形状に形成されている。
なお、係着爪１１は、ファン１のガード体３の格子４の形状や間隔に応じて設計されており、その係着爪１１の数や形状は、本実施形態に限られるものではない。
【００２７】
スペーサー本体２０は、そのスペーサー本体２０における頂部２１と、頂部２１と枠体１０とを繋ぐ支持部２２と、を有している。
スペーサー本体２０の頂部２１には、図４（ａ）（ｂ）、図５（ａ）（ｂ）に示すように、枠体１０に対して接離する方向（接近離間する方向）に配置を切り替え可能な出没部材２１ａが設けられている。
具体的には、出没部材２１ａを環状部材２２ｂ（枠体１０）から引き離すようにすると、図４（ａ）（ｂ）に示すように、出没部材２１ａが環状部材２２ｂの内側から突き出した配置に切り替わる。この配置の出没部材２１ａは、頂部２１における比較的高い配置にあり、スペーサー本体２０の厚みを増大させた形態に変形した態様である。
また、出没部材２１ａを環状部材２２ｂ（枠体１０）に向けて押して近付けるようにすると、図５（ａ）（ｂ）に示すように、出没部材２１ａが環状部材２２ｂの内側に没入した配置に切り替わる。この配置の出没部材２１ａは、頂部２１における比較的低い配置にあり、スペーサー本体２０の厚みを減少させた形態に変形した態様である。
なお、頂部２１において、それぞれの配置に切り替えられた出没部材２１ａは、その位置にて係止されるようになっており、ある程度の力を加えない限り出没部材２１ａの配置は変わらず、スペーサー本体２０は変形しないようになっている。
【００２８】
実施形態２の空調衣服用スペーサー１００は、このような構造を有しており、空調衣服用スペーサー１００の枠体１０の係着爪１１をファン１のガード体３に挿し入れ、枠体１０を時計回りに回転させるようにすれば、空調衣服用スペーサー１００をファン１のガード体３に取り付けることができる。
なお、ファン１に取り付けられた空調衣服用スペーサー１００を取り外す場合には、枠体１０を掴んで反時計回りに回転させるようにすればよい。
【００２９】
このような空調衣服用スペーサー１００であっても、空調衣服５のファン１に取り付けておけば、その空調衣服５の上から外套６を着用した場合に、空調衣服５の機能が損なわれてしまうことはない。
このように、本実施形態の空調衣服用スペーサー１００であれば、空調衣服５のファン１に取り付け、空調衣服５の機能が損なわれないようにすることができる。
【００３０】
なお、以上の実施の形態において、スペーサー本体２０の支持部２２は５つの放射状支持部材２２ａを備えている場合を例に説明したが、本考案はこれに限定されるものではなく、放射状支持部材２２ａの数は任意であり、スペーサー本体２０に必要な強度や開口率などに応じて適宜設計された形状に基づく好適な数であればよい。
また、環状部材２２ｂの数も同様に任意である。
【００３１】
また、その他、具体的な細部構造等についても適宜に変更可能であることは勿論である。
【符号の説明】
【００３２】
１      ファン
２      ファン本体
３      ガード体
４      格子
５      空調衣服
６      外套
１０    枠体
１１    係着爪（係着手段）
２０    スペーサー本体
２１    頂部
２１ａ  出没部材
２２    支持部
２２ａ  放射状支持部材
２２ｂ  環状部材
１００  空調衣服用スペーサー
【図１】
0003226981.tif 000003
【図２】
0003226981.tif 000004
【図３】
0003226981.tif 000005
【図４】
0003226981.tif 000006
【図５】
0003226981.tif 000007
【図６】
0003226981.tif 000008